(57)【要約】【課題】１個のメモリの容量を越える情報信号の書き込みもしくは読み出しを行なえるようにする。【解決手段】記録媒体としてメモリカセット３，４にそれぞれ内蔵された半導体メモリ３１，４１を使用し、インタフェース２１は、これら半導体メモリ３１，４１に対し、１個のメモリに対する情報書き込みもしくは読み出しの最大可能時間毎に順次アクセスして、映像処理部１１、音声処理部１２及びデータ情報処理部１６にて取り込まれた情報信号を連続させて書き込み、また半導体メモリ３１，４１に書き込まれた情報信号の読み出しを行なう。また、インタフェース２１は、半導体メモリ３１への情報信号の書き込み状態で、該メモリ３１の容量が満杯になる前に、次の半導体メモリ４１にアクセスして、入力された情報信号の書き込みを開始する。【選択図】      図２
2009026331.tif 000002
【特許請求の範囲】
【請求項１】
情報の読み出し及び書き込み可能な複数個のメモリを記録媒体として取り扱う装置であって、
少なくとも映像、音声及びデータのいずれかを含む情報信号を取得する情報信号取得手段と、
１個の前記メモリに対する情報書き込みもしくは読み出しの最大可能時間毎に、前記複数のメモリに順次アクセスし、前記情報信号取得手段で取得された情報信号の連続書き込み、前記複数のメモリにそれぞれ書き込まれた情報信号の連続読み出しの少なくとも一方を行なうメモリアクセス手段とを具備してなることを特徴とするメモリ情報処理装置。
【請求項２】
前記メモリアクセス手段は、１個の前記メモリへの前記情報信号の書き込み状態で、該メモリの容量が満杯になる前に、次のメモリにアクセスして、前記情報信号取得手段で取得された情報信号の書き込みを開始することを特徴とする請求項１記載のメモリ情報処理装置。
【請求項３】
さらに、表示器と、前記メモリアクセス手段で前記複数のメモリから読み出された情報信号を前記表示器に表示する表示制御手段とを備えることを特徴とする請求項１記載のメモリ情報処理装置。
【発明の詳細な説明】
【技術分野】
【０００１】
この発明は、メモリに対し情報の書き込みや読み出しを行なうメモリ情報処理装置に関し、特に、１個のメモリの容量を超える情報を書き込めるようにしたものである。
【背景技術】
【０００２】
従来、放送局ないし一般家庭用に使用される記録再生装置にあっては、例えばＶＴＲ(Video Tape Recorder）等のように、テープを記録媒体として情報信号の記録や再生を行なう装置がある。また、光磁気ディスクを記録媒体として取り扱う装置もあり、さらに、半導体メモリを記録媒体として取り扱う装置も考えられる。
【０００３】
しかし、上記のような従来の記録再生装置では、１個の記録媒体の容量を越える情報信号を記録する場合や再生する場合に、記録媒体の容量が無くなる度に別の記録媒体に交換する必要が生じ、不便である。
【発明の開示】
【発明が解決しようとする課題】
【０００４】
以上のように、従来の記録再生装置では、１個の記録媒体の容量を越える情報信号を記録する場合や再生する場合に、記録媒体の容量が無くなる度に別の記録媒体に交換する必要が生じ、不便であるという問題を有している。
【０００５】
この発明の目的は、１個の記録媒体の容量を越える情報信号の書き込みもしくは読み出しを行ない得るメモリ情報処理装置を提供することにある。
【課題を解決するための手段】
【０００６】
この発明に係るメモリ情報処理装置は、情報の読み出し及び書き込み可能な複数個のメモリを記録媒体として取り扱う装置であって、少なくとも映像、音声及びデータのいずれかを含む情報信号を取得する情報信号取得手段と、１個のメモリに対する情報書き込みもしくは読み出し可能時間毎に、複数のメモリに順次アクセスし、情報信号取得手段で取得された情報信号の連続書き込み、複数のメモリにそれぞれ書き込まれた情報信号の連続読み出しの少なくとも一方を行なうメモリアクセス手段とを備えるようにしたものである。
【０００７】
この構成によれば、記録媒体として情報の読み出し及び書き込み可能な複数個のメモリを使用し、これらメモリに対し、１個のメモリに対する情報書き込みもしくは読み出しの最大可能時間毎に順次アクセスして、情報信号を連続させて書き込み、またメモリに書き込まれた情報信号の読み出しを行なうようにしている。
【０００８】
このため、メモリの交換を行なう必要がなく、１個のメモリの容量を越える情報信号を連続して書き込みもしくは読み出しを行なうことが可能となり、これにより、撮影時間の増長を図ることも可能となる。
【０００９】
また、上記構成において、メモリアクセス手段は、１個のメモリへの情報信号の書き込み状態で、該メモリの容量が満杯になる前に、次のメモリにアクセスして、情報信号取得手段で取得された情報信号の書き込みを開始することを特徴とするので、連続して情報信号を書き込む場合に、メモリの切り換えによる情報の途切れを解消することが可能となる。
【００１０】
さらに、上記構成において、さらに、表示器と、メモリアクセス手段で複数のメモリから読み出された情報信号を前記表示器に表示する表示制御手段とを備えることを特徴とするので、ユーザは、表示器を見ることによりメモリに記録された情報内容を簡単に認識することができるようになる。
【発明の効果】
【００１１】
以上詳述したようにこの発明によれば、１個の記録媒体の容量を越える情報信号の書き込みもしくは読み出しを行ない得るメモリ情報処理装置を提供することができる。
【発明を実施するための最良の形態】
【００１２】
以下、この発明の実施形態について図面を参照して詳細に説明する。
【００１３】
図１は、この発明に係るメモリ情報処理装置の一実施形態における全体の概略構成図であり、図２は、内部のブロック構成図である。  
図１において、図中符号１はメモリ情報処理装置本体で、後部（図１では右側）にメモリアクセス装置２を設け、２つのメモリカセット３，４を装着してこれらメモリカセット３，４にそれぞれ内蔵される半導体メモリ（図２で図示）に対し、情報の書込み、読み出しの少なくとも一方を行なう。また、このメモリ情報処理装置本体１は、その前側（図１では左側）に電子ファインダ５、マイク６及びレンズ７を設けている。
【００１４】
このうち、電子ファインダ５は、半導体メモリの記録情報内容を表示する。マイク６は記録時の音声信号を取り込み、レンズ７は記録時の映像信号を取り込む。
【００１５】
次に、メモリ情報処理装置本体１における情報処理について図２を参照して説明する。  
図２において、レンズ７で取り込んだ映像信号は、映像処理部１１でデジタル信号に変換された後、映像情報信号として映像情報出力部１２を介してインタフェース２１に供給される。同時に、マイク６で取り込まれた音声信号は、音声処理部１３でデジタル信号に変換された後、音声情報信号として音声情報出力部１４を介してインタフェース２１に供給される。
【００１６】
一方、メモリ情報処理装置本体１に設けられたキースイッチ１５で入力されたメモ等の任意の情報信号は、データ情報処理部１６に供給され、デジタル信号に変換された後、データ情報信号としてデータ情報出力部１７を介してインタフェース２１に供給される。
【００１７】
また、データ情報処理部１６は、端子１８を設けており、この端子１８を介してパーソナルコンピュータ等の外部装置（図示せず）と接続し、外部装置からのデータ情報信号を取り込み、データ情報出力部１７を介してインタフェース２１に送出する。
【００１８】
メモリアクセス装置２のインタフェース２１は、２つのメモリカセット３，４が装着されたことを検出すると、メモリカセット３，４それぞれの半導体メモリ３１，４１に対し情報書き込みもしくは読み出しの最大可能時間毎に順次アクセスし、入力された映像情報信号及び音声情報信号を含む素材情報信号、及びデータ情報信号を半導体メモリ３１，４１に連続的に記録する。また、インタフェース２１は、外部からの操作に応じて、半導体メモリ３１，４１に記録された情報信号を連続的に読み出す。この読み出された情報信号は、表示処理部１９に取り込まれ、電子ファインダ５に表示される。
【００１９】
次に、上記構成において、以下に半導体メモリ３１，４１への情報の連続書き込み動作について図３を参照して説明する。  
図３において、インタフェース２１は、メモリカセット３，４がメモリアクセス装置２に装着されると、まず、半導体メモリ３１にアクセスし、入力された情報信号を半導体メモリ３１に書き込んでいく。そして、半導体メモリ３１への情報信号の書き込み状態で、半導体メモリ３１の容量が満杯になる前、つまり容量Ｃ１に達した時点で、次の半導体メモリ４１にアクセスして、入力された情報信号の書き込みを開始する。すなわち、インタフェース２１は、半導体メモリ３１，４１に対して、連続して情報信号を記録する場合に、少しの時間Ｔ１だけオーバーラップさせることにより、半導体メモリ３１，４１の切り換えによる情報の途切れを解消することが可能となる。
【００２０】
以上のように上記実施形態によれば、記録媒体としてメモリカセット３，４にそれぞれ内蔵された半導体メモリ３１，４１を使用し、インタフェース２１は、これら半導体メモリ３１，４１に対し、１個のメモリに対する情報書き込みもしくは読み出し可能時間毎に順次アクセスして、映像処理部１１，音声処理部１３及びデータ情報処理部１６にて取り込まれた情報信号を連続させて書き込み、また半導体メモリ３１，４１に書き込まれた情報信号の読み出しを行なうようにしている。
【００２１】
このため、メモリカセット３，４を容量が無くなる都度交換を行なう必要がなく、２個のメモリカセット３，４をメモリアクセス装置２に接続するのみで、１個の半導体メモリの容量を越える情報信号を連続して書き込みもしくは読み出しを行なうことが可能となり、これにより、撮影時間の増長を図ることにも寄与できる。
【００２２】
また、上記実施形態において、インタフェース２１は、半導体メモリ３１への情報信号の書き込み状態で、該メモリ３１の容量が満杯になる前に、次の半導体メモリ４１にアクセスして、入力された情報信号の書き込みを開始するようにしているので、連続して情報信号を書き込む場合に、半導体メモリ３１，４１の切り換えによる情報の途切れを解消することが可能となる。
【００２３】
さらに、上記実施形態において、電子ファインダ５と、インタフェース２１で半導体メモリ３１，４１から読み出された情報信号を電子ファインダ５に表示する表示処理部１９とを備えることで、ユーザは、電子ファインダ５を見ることにより半導体メモリ３１，４１に記録された情報内容を簡単に認識することができるようになる。
【００２４】
なお、上記実施形態では、メモリカセット３，４を着脱可能に用いる例について説明したが、例えばメモリアクセス装置２とメモリカセット３，４とをケーブル等で接続し、遠隔操作で半導体メモリ３１，４１に対する情報信号の書き込み、読み出しを行なうようにしてもよい。また、上記実施形態では、２つのメモリカセット３，４を用いる例について説明したが、２以上の複数のメモリカセットを取り扱うようにしても同様に実施できる。さらに、上記実施形態では、半導体メモリ３１から半導体メモリ４１へ切り換える際に、オーバーラップさせる例について説明したが、装置もしくは書き込むべき情報内容によっては、オーバーラップさせないようにしてもかまわない。
【００２５】
また、上記インタフェース２１は、外部操作に応じて、映像、音声及びデータを合わせた情報と映像、音声及びデータのいずれか一方の情報とを選択的に半導体メモリ３１，４１に書き込みもしくは半導体メモリ３１，４１から読み出すようにしてもよい。
【００２６】
その他、メモリ情報処理装置本体の構成や、電子ファインダ、マイク及びレンズの構成、メモリアクセス装置内のインタフェースの種類、メモリの種類等についても、この発明の要旨を逸脱しない範囲で種々変形して実施できる。
【図面の簡単な説明】
【００２７】
【図１】この発明に係るメモリ情報処理装置の一実施形態を示す概略構成図。
【図２】同実施形態の内部構成を示すブロック構成図。
【図３】同実施形態における半導体メモリへの情報の連続書き込み動作を説明するためのタイミング図。
【符号の説明】
【００２８】
１…メモリ情報処理装置本体、２…メモリアクセス装置、３，４…メモリカセット、５…電子ファインダ、６…マイク、７…レンズ、１１…映像処理部、１２…映像情報出力部、１３…音声処理部、１４…音声情報出力部、１５…キースイッチ、１６…データ情報処理部、１７…データ情報出力部、１８…端子、２１…インタフェース、３１，４１…半導体メモリ。
【図１】
2009026331.tif 000003
【図２】
2009026331.tif 000004
【図３】
2009026331.tif 000005